(57)【要約】【課題】例えば保温、遮音、遮光、遮熱等の様々な機能がカーテンに求められるとき、それらの機能を有する所定の膜状材の選択交換で着脱式に簡単に変更でき、また、簡単にクリーニングできるようにする。【解決手段】室外側に配置する裏生地材１Ａと、室内側に配置する表生地材１Ｂとで内外で二重になっているカーテン本体１と、このカーテン本体１の裏生地材１Ａ、表生地材１Ｂ相互間の間隙に設けた着脱手段３によってカーテン本体１内に着脱自在に装入配置する膜状材２とから成る。着脱手段３は、裏生地材１Ａ、表生地材１Ｂ相互の縫合部位に一体状に縫合して両生地材１Ａ，１Ｂ相互間に配した係止支持帯部４と、膜状材２の上縁部に設けて、係止支持帯部４面に接合する止着片５とから成る。係止支持帯部４は、レース生地材、不織布から成り、止着片５は雄面ファスナーを備える。【選択図】図１
2009285105.tif 000002
【特許請求の範囲】
【請求項１】
室外側に配置される裏生地材と、同じく室内側に配置される表生地材とで内外で二重になっているカーテン本体と、このカーテン本体の裏生地材、表生地材相互間の間隙に設けた着脱手段によってカーテン本体内に着脱自在に装入配置される膜状材とから成ることを特徴とするカーテン。
【請求項２】
着脱手段は、裏生地材、表生地材相互の縫合部位に一体状に縫合されることで両生地材相互間に配された係止支持帯部と、膜状材の上縁部に設けられて、係止支持帯部面に接合する止着片とから成る請求項１に記載のカーテン。
【請求項３】
係止支持帯部は、レース生地材、不織布から成り、止着片は雄面ファスナーを備える請求項２に記載のカーテン。
【発明の詳細な説明】
【技術分野】
【０００１】
本発明は、いわゆる二重カーテン例えば室内への外光を遮断するように表地の裏面に遮光性ある裏地を配した遮光カーテンにおいて、それらの表裏の生地部材の間に保温、遮音、遮光、遮熱性等がある各種の素材から成る膜状材を着脱自在に介在させることで、所定の機能を付与できるようにしたトリプル構造となるカーテンに関する。
【背景技術】
【０００２】
従来から、一般家屋、ビルその他の建築物等には、開口部分である窓、出入口その他に室内外を仕切り、また室内等を適当に区画するように各種のカーテン類が取り付けられる。カーテン自体は、使用場所、使用目的等に対応して素通しタイプ、遮光タイプ、遮音タイプその他のタイプ・構成のもの、また室内装飾を兼ねて各種のもの等が使用され、必要に応じて二重、三重に重ねて設置されることもある。
【０００３】
例えば特許文献１に示す二重カーテンが提案されており、これはレースカーテンの如き透光性のカーテンと非透光性のカーテンとが前後に重なり合って上端で結合されていて、室内側の非透光性カーテンの裾部が昇降コードによって上げ下げ自在に構成されているものである。これによると、昇降コードによる非透光性カーテン裾部の上げ下げによって透光性あるカーテン部分が露出されるようにして、室内側に外光を採り入れるようにすることができる。
【０００４】
このようにカーテンは、異なる性能・作用等がある生地素材を表裏・内外で二重にすることで、二重カーテンとして構成されるのであり、その場合、室内側で要求される様々な仕様に応じて保温、遮音、遮光、遮熱性等がある各種の素材から成る生地材を室内側に配される表地として使用する。
【特許文献１】特開２０００−２０１８０２号公報
【発明の開示】
【発明が解決しようとする課題】
【０００５】
ただ、このような保温等の仕様に応じて採用される裏地の生地材は、一般的なカーテン生地に比較して柔軟性に欠け、いわゆるゴワゴワした感触のものが殆どであり、例えば汚染・汚損した場合にクリーニングをするとしても簡単には洗浄できず、その手間は非常に面倒である。そればかりでなく、例えば室内側の事情で一時的にでも、保温、遮音、遮光、遮熱等に対する要求が生じると、それに対応した機能があるカーテンに交換したり、また、機能が異なる複数のカーテンを予め用意しておいて、それを一時的に選択して張り巡らしたりする等の対処が必要となる。
【０００６】
そこで本発明は叙上のような従来存した諸事情に鑑み創出されたもので、その目的は例えば保温、遮音、遮光、遮熱等の室内側で一時的にでも要請されるカーテンに求められる様々な機能をその膜状材の選択交換で着脱式に簡単に変更でき、また、汚染・汚損時でも簡単にクリーニングが可能な、いわゆるトリプル構造となるカーテンを提供することにある。
【課題を解決するための手段】
【０００７】
上述した課題を解決するため、本発明にあっては、室外側に配置される裏生地材１Ａと、同じく室内側に配置される表生地材１Ｂとで内外で二重になっているカーテン本体１と、このカーテン本体１の裏生地材１Ａ、表生地材１Ｂ相互間の間隙に設けた着脱手段３によってカーテン本体１内に着脱自在に装入配置される膜状材２とから成ることを特徴とする。
着脱手段３は、裏生地材１Ａ、表生地材１Ｂ相互の縫合部位に一体状に縫合されることで両生地材１Ａ，１Ｂ相互間に配された係止支持帯部４と、膜状材２の上縁部に設けられて、係止支持帯部４面に接合する止着片５とから成るものとすることができる。
係止支持帯部４は、レース生地材、不織布から成り、止着片５は雄面ファスナーを備えることができる。
【０００８】
以上のように構成された本発明に係るカーテンにあって、カーテン本体１内に設けた着脱手段３によって膜状材２をカーテン本体１における裏生地材１Ａ、表生地材１Ｂ相互間の間隙内に装入配置させる。この装入配置によって、カーテン本体１には膜状材２が有する機能、例えば保温性、遮音性、遮光性、遮熱性等の所定の機能を付加させる。
カーテン本体１の上部に配した係止支持帯部４と、膜状材２の上縁部に設けた止着片５とから成る着脱手段３は、膜状材２をカーテン本体１内に着脱自在に装入配置させることで、それぞれの膜状材２が有する機能の選択、交換等を可能にさせ、更にはその取り外しで裏生地材１Ａ、表生地材１Ｂのみのカーテン本体１のクリーニング等を容易にさせる。  レース生地材、不織布から成る係止支持帯部４は、雄面ファスナーを備える止着片５を接合させ、その接合は強固、安定的であり、膜状材２をカーテン本体１内に確実に支持させ、いわゆるトリプルカーテンを構成させ、カーテン本体１が本来備えている、すなわち表生地材１Ｂ自体の体裁性を損なわせない。
【発明の効果】
【０００９】
本発明は以上説明したように構成されているため、例えば一般家屋等の窓等の開口部において、例えば室内側で外部とは異なる保温、遮音、遮光、遮熱等が要求される場合、その開口部に取り付けられるカーテンにおいて一時的にでもそれらの要請に対応できる。すなわち、各機能が備えられている膜状材２を選択し、この選択された膜状材２をカーテン本体１内に着脱手段３によって装入配置すればよく、しかも様々な機能を備えた膜状材２の選択交換で着脱式に簡単に変更できる。また、カーテン本体１が汚染・汚損された場合、クリーニング処理が困難な膜状材２であってもその取り外しによってカーテン本体１自体を簡単にクリーニングできる。
【００１０】
すなわち、これは本発明において、裏生地材１Ａと表生地材１Ｂとで内外で二重になっているカーテン本体１と、このカーテン本体１の裏生地材１Ａ、表生地材１Ｂ相互間の間隙に設けた着脱手段３によってカーテン本体１内に着脱自在に装入配置される膜状材２とから成るからであり、膜状材２の適宜な選択によるカーテン本体１に対する所定の機能の付与、カーテン本体１自体が有する良好な体裁性の維持、クリーニングの容易化等を得ることができる。
【００１１】
また、着脱手段３における係止支持帯部４は、レース生地材、不織布から成るものとし、止着片５を雄面ファスナーを備えたものとすることで、膜状材２は、止着片５が係止支持帯部４に面ファスナーにおける雌雄面の接合作用と同様な面接合力で接合できるから、膜状材２自体が、重量的に嵩張るものとなっていてもカーテン本体１内に確実、安定的に支持できる。
【００１２】
係止支持帯部４としてレース生地材、不織布等とすることで、これらはカーテン本体１の上辺部分の全域に設けられるとしても係止支持帯部４を安価に形成でき、膜状材２を装入配置するときの係止支持帯部４に対する止着片５の面接合位置を制限させずに自由に行うことができ、使い勝手にも優れる。また、係止支持帯部４は、裏生地材１Ａ、表生地材１Ｂ相互の縫合部位に一体状に縫合されるに際し、レース生地材、不織布等であれば容易に行うことができ、この点でも便利である。
【００１３】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【発明を実施するための最良の形態】
【００１４】
以下図面を参照して本発明を実施するための最良の一形態を説明する。図において示される符号１は例えば家屋・マンション等の建築構造物における開口部の窓等に取り付けられるカーテン本体である。このカーテン本体１は、例えば室外側に配置されるやや肉厚の裏生地材１Ａと、同じく室内側に配置される表生地材１Ｂとが、相互間に所定の空隙部分を形成することで内外で二重になった状態で、例えばそれぞれの上辺部分を一体縫製する等によって一体にすることで形成されている。また、カーテン本体１の上縁には、カーテンレール等におけるカーテンランナーに連繋させてカーテン本体１を吊り下げるためのカーテンフックを係止させるプリーツ（ドレープ）が形成されている。
【００１５】
裏生地材１Ａは例えば遮光性に優れた遮光性生地材にて形成され、表生地材１Ｂは室内側に露出されることから表面では例えば無模様としたり、装飾性が豊かな各種の模様等が表現されていたりしており、両生地材１Ａ，１Ｂそれぞれはクリーニングが容易な、例えば柔軟性ある素材によって形成されていることが望ましい。もとより、表生地材１Ｂとして、遮光性、遮音性、保温・断熱性、遮熱性等のそれぞれに要求される機能性・特殊用途に対応した素材とされることで、裏生地材１Ａとのコンビネーションによって所定機能のカーテン本体１として形成されることもある。
【００１６】
このカーテン本体１における裏生地材１Ａ、表生地材１Ｂ相互間の間隙内には、カーテン自体に付加する所望の目的に対応した機能性を備えたいわば第３のカーテン生地素材となる膜状材（スクリーン材）２が着脱手段３によって着脱自在に装入配置されることで、いわば三重カーテンとなって形成される。この膜状材２は、上述したように遮光性、遮音性、保温・断熱性、遮熱性等のそれぞれの機能性・特殊用途に対応した素材によって形成されており、例えばクリーニング時にはカーテン本体１から膜状材２を取り外すとするから、クリーニング時の洗浄方法その他を考慮することなく所定の機能性等に対応した素材の選定を可能にする。
【００１７】
例えば遮光性、遮音性、保温・断熱性、遮熱性等を考慮して相当に肉厚な布地によるものとしたり、遮音性、保温・断熱性、遮熱性等を考慮して塩化ビニール樹脂等の合成樹脂製シート材、所定量の空気を封入した多数の小突部を配列して成り、通常は各種物品保護のための緩衝用として使用されている二重シート材、保温・断熱性、遮熱性等を考慮して例えばアルミニウムコーティング処理が表面に施された布地等である。いずれにしても、膜状材２の素材は特に限定されず、場合によっては剛性ある素材によることもあり、所望の目的に対応した機能性を備えた素材から選択使用される。ただ、開口部を開放する等の場合に例えば横引きされるときのカーテン本体１の横引き折り畳みを阻害しないような素材が一般的には考慮される。
【００１８】
この膜状材２をカーテン本体１内に着脱自在に装入配置させる着脱手段３は、カーテン本体１に取り付けたレース生地製、不織布製の係止支持帯部４と、膜状材２の上縁部に取り付けられ、係止支持帯部４に面接合係止する雄面ファスナー材製の止着片５とから成る。尚、着脱手段３をカーテン本体１外側面に設けることで、膜状材２をカーテン本体１と重ねて使用することも可能である。
【００１９】
係止支持帯部４は、雄面ファスナーが接合される雌面ファスナーの機能を備えている雌面態様に形成されていれば足り、上述のようにレース生地、不織布に限定されず、雌面ファスナー自体であっても差し支えない。すなわち、係止支持帯部４は、雄面ファスナー部分におけるいわゆる無数の小さいフックが、この雄面ファスナー自体が押圧されることでレース生地材、不織布等に存する粗面、空隙・穴、凹部等に係止し、係止支持帯部４からは容易に離反・抜脱されない程度の止着保持性を有すれば足りる。尚、この係止支持帯部４は所定のレース生地材、不織布等を利用することで、例えば雄面ファスナー材に係止する雌面ファスナー材に比し安価に形成できる利点を備えている。
【００２０】
また、この係止支持帯部４は、カーテン本体１における裏生地材１Ａ、表生地材１Ｂの上辺部を縫合するときの両者間に挟み込むようにし、例えば係止支持帯部４自体の下縁部を縫合部分から下方に向けて露出させるように突出させてある。そして、図示のように、この係止支持帯部４自体は、カーテン本体１における上縁部分の全域に渡って配置されており、カーテン本体１における上縁部分のいずれの部位にも止着片５が接合できるようにしてある。
【００２１】
一方、止着片５は、膜状材２における上縁部に所定間隔を隔てて、上縁部から上方に突出するように複数にして例えば縫着、接着その他によって配列固定してあり、止着片５自体は所定幅員の帯状・リボン状に形成されており、表裏のいずれかの側面を面ファスナーにおける無数のフックを備えた雄面となるように形成してある。
【００２２】
この止着片５における雄面ファスナーは、膜状材２に止着片５が部分的にでも重ねられて縫合等されるとき、その露出面全域に形成されていることで係止支持帯部４に対して広い面積で接合でき、連結安定性を向上し得る。
【００２３】
尚、図示例にあっての係止支持帯部４は、裏生地材１Ａ、表生地材１Ｂ等の縫合部分において、例えば上縁部が折り返されている場合、その折返し部分の空隙に配置露出されていてもよく、場合によっては裏生地材１Ａ、表生地材１Ｂ相互間の間隙内に係止支持帯部４を配さずに、室内側の表生地材１Ｂ面あるいは室外側の裏生地材１Ａ面に重ねて膜状材２が配されるように、表生地材１Ｂ面あるいは裏生地材１Ａ面に配してもよい。
【００２４】
また、図中符号６は止着用面ファスナーであり、カーテン本体１内部に装入配置された膜状材２が、例えばその左右縁部、下縁部その他の所定部位をカーテン本体１の表生地材１Ａ面、裏生地材１Ｂ面の少なくともいずれか一方に止着させるもので、装入配置したときの取付安定性を向上させるように配慮してある。尚、止着用面ファスナー６によるカーテン本体１との面接合は、上記の着脱手段３の構成と同様にすることも可能である。
【００２５】
本実施の形態において、着脱手段３は雌雄の面ファスナー態様による構成として説明したが、場合によっては雌雄のボタン、フック形状物に対するループの係止その他の係合構造によっても可能である。
【００２６】
次にこれの使用の一例を説明すると、カーテン本体１におけるプリーツ、カーテンフックによってカーテンレールに連繋することで、家屋における開口部その他の所定位置に取り付けるのであり、開口部における所望の例えば遮光性、遮音性、保温・断熱性、遮熱性等のそれぞれに応じてその要求にそう機能を備えた膜状材２を選択し、着脱手段３によってカーテン本体１内に装入配置する。こうすることで、カーテン本体１に対して遮光性、遮音性、保温・断熱性、遮熱性等を付与でき、また、膜状材２の交換によって他の機能を付与するものとする。
【００２７】
また、長期間の使用でカーテン本体１が汚染、汚損された場合のクリーニング時では、着脱手段３によって膜状材２をカーテン本体１から取り外し、カーテン本体１をクリーニングすればよい。
【図面の簡単な説明】
【００２８】
【図１】本発明を実施するための最良の形態を示す一部切欠斜視図である。
【図２】同じく断面図である。
【図３】同じくカーテン本体内部に装入配置される膜状材の斜視図である。
【符号の説明】
【００２９】
１…カーテン本体                        １Ａ…裏生地材
１Ｂ…表生地材                          ２…膜状材
３…着脱手段                            ４…係止支持帯部
５…止着片                              ６…止着用面ファスナー
【図１】
2009285105.tif 000003
【図２】
2009285105.tif 000004
【図３】
2009285105.tif 000005